(57)【要約】【課題】隣り合う羽根の動きが互いに逆方向となるように連動させ得るようにし、しかもほぼ平行四辺形の軌跡上で往復運動を行なわせるための空間を必要とせず、駆動部を狭い空間内に収納できるようにしたルーバー装置を提供する。【解決手段】等間隔おきに多数枚並設された状態の羽根１が正面形状が矩形の枠体８で囲まれる空間内に組み込まれ、各羽根１の両端が枠体８に回転可能に支持され各羽根１の一端側は前記枠体８の内部空間に収納された歯車６と結合され、隣り合う歯車６同士は互いに噛み合い、何れか１枚の羽根１を回転させることにより全ての羽根１が連動して隣り合うもの同士が逆方向に回転して開閉するように構成した。【選択図】図２
2008025095.tif 000002
【特許請求の範囲】
【請求項１】
等間隔おきに多数枚並設された状態の羽根が正面形状が矩形の枠体で囲まれる空間内に組み込まれ、各羽根の両端が枠体に回転可能に支持され各羽根の一端側は前記枠体の内部空間に収納された歯車と結合され、隣り合う歯車同士は互いに噛み合い、何れか１枚の羽根を回転させることにより全ての羽根が連動して隣り合うもの同士が逆方向に回転して開閉するように構成したことを特徴とするルーバー装置。
【請求項２】
等間隔おきに多数枚並設された状態の羽根が正面形状が矩形の枠体で囲まれる空間内に組み込まれ、各羽根の両端が枠体に回転可能に支持され各羽根の一端側は前記枠体の内部空間に収納された歯車と結合され、隣り合う歯車間に別の歯車を介在させ、何れか１枚の羽根を回転させることにより全ての羽根が連動して同方向に回転して開閉するように構成したことを特徴とするルーバー装置。
【発明の詳細な説明】
【技術分野】
【０００１】
本発明は、例えば室内に入る日差しなどの調整を行なうのに好適なルーバー装置に関するものである。
【背景技術】
【０００２】
従来のこの種ルーバー装置としては、例えば特許文献１に開示されているような、略平行に配置された複数のルーバー羽根の長さ方向の両端部に回転軸部材を取付け、ルーバー羽根の両端部の回転軸部材をルーバー羽根の両端部において一連となった回転支持体に回動自在に支持し、回転軸部材に回転中心より偏心した位置に連結軸を延出し、各連結軸を駆動用の移動体に連係し、移動体を移動させてルーバー羽根を回動させる駆動手段を設けて成ることを特徴とするルーバー装置が知られている。
【０００３】
そして、この特許文献１に開示されているルーバー装置によれば、駆動手段によって移動体を移動させることで偏心している連結軸を介して回転支持体を回転させてルーバー羽根を回転させることができるものである。
【特許文献１】特開２００２−１４７１４３号公報
【発明の開示】
【発明が解決しようとする課題】
【０００４】
しかしながら、この特許文献１に記載のルーバー装置の構成では、駆動手段によって移動される移動体の動きは一直線上での動きではなく、ほぼ平行四辺形の軌跡上での往復運動の動きとなり、この移動体の動きを可能とする空間が必要となり、ルーバー装置の取り付け空間に限りがある箇所では取り付けができないという問題がある。
【０００５】
また、この特許文献１に記載のルーバー装置の構成では、全ての羽根が同一方向に連動するという動きしか得られないという問題がある。
本発明の目的は、このような課題を解決するものであり、全ての羽根が同一方向に連動させ得ることは勿論のこと、隣り合う羽根の動きが互いに逆方向となるように連動させ得るようにし、しかもほぼ平行四辺形の軌跡上で往復運動を行なわせるための空間を必要とせず、駆動部を狭い空間内に収納できるようにしたルーバー装置を提供することにある。
【課題を解決するための手段】
【０００６】
本発明の請求項１に記載のルーバー装置は、等間隔おきに多数枚並設された状態の羽根が正面形状が矩形の枠体で囲まれる空間内に組み込まれ、各羽根の両端が枠体に回転可能に支持され各羽根の一端側は前記枠体の内部空間に収納された歯車と結合され、隣り合う歯車同士は互いに噛み合い、何れか１枚の羽根を回転させることにより全ての羽根が連動して隣り合うもの同士が逆方向に回転して開閉するように構成したことを特徴とする。
【０００７】
請求項２に記載のルーバー装置は、等間隔おきに多数枚並設された状態の羽根が正面形状が矩形の枠体で囲まれる空間内に組み込まれ、各羽根の両端が枠体に回転可能に支持され各羽根の一端側は前記枠体の内部空間に収納された歯車と結合され、隣り合う歯車間に別の歯車を介在させ、何れか１枚の羽根を回転させることにより全ての羽根が連動して同方向に回転して開閉するように構成したことを特徴とする。
【発明の効果】
【０００８】
以上のように、本発明のルーバー装置は、全ての羽根が同一方向に連動させ得ることは勿論のこと、隣り合う羽根の動きが互いに逆方向となるように連動させ得るものであり、しかもほぼ平行四辺形の軌跡上で往復運動を行なわせるための空間を必要とせず、駆動部となる歯車を狭い空間内に収納できるようにしたルーバー装置を提供することができる。
【発明を実施するための最良の形態】
【０００９】
以下、本発明の実施の形態を、図面を用いて具体的に説明する。
先ず、図１〜図５に示す第１の実施の形態について説明すると、１は上下方向に向く羽根で、内部が空洞で軽量に作られていて、等間隔おきに多数枚並設されている。２は各羽根１の上下両端に被さり羽根１の上下両端を閉じるキャップで、羽根１の上端におけるキャップ２の下面には羽根１の上端に嵌入して外面が羽根１の上端内面に当接する補強部材３が一体に設けられ、またこのキャップ２の上面には平面形状が円形の軸体４を介して平面形状が正方形の軸体５が一体に設けられている。また、羽根１の下端におけるキャップ２の上面にも羽根１の下端に嵌入して外面が羽根１の下端内面に当接する補強部材３が一体に設けられ、またこのキャップ２の下面にも底面形状が円形の軸体４を介して底面形状が正方形の軸体５が一体に設けられている。そして、各羽根１の上部における軸体５は歯車６の中央の角孔６ａと嵌合して羽根１の上部に歯車６が取り付けられる。隣り合う羽根１の上部の歯車６同士は互いに噛み合い、何れか１枚の羽根１を鉛直軸心の周りで回転させることにより全ての羽根１が連動して回転するようになっている。図面に示す実施の形態では中央に位置する羽根１の下部の軸体５にハンドル７を取り付け、このハンドル７により中央に位置する羽根１を鉛直軸心の周りで回転させることにより全ての羽根１が連動して回転するようになっている。
【００１０】
ところで、ルーバー装置は正面形状が矩形の枠体８で囲まれる空間内に組み込まれ、各羽根１の下端の底面形状が円形の軸体４は下枠９の上板部１０に形成されている孔部１１に回転可能に嵌り込み、底面形状が正方形の軸体５の下端に浮き上がり防止金具１２をねじ１３により取り付けている。浮き上がり防止金具１２は下枠９の内部空間を上下に仕切るために下枠９内において水平に形成された突出片１４の下面に両側が当接するようになる。各羽根１の上端の軸体５に取り付けられる歯車６は上枠１５内において水平に形成された突出片１６の下側の内部空間に収納され、上枠１５の下板部１７に形成されている孔部１８に回転可能に羽根１の上部の平面形状が円形の軸体４が差し込まれた状態で羽根１の上部の平面形状が正方形の軸体５が歯車６の中央の角孔６ａに嵌合する。なお、前記中央に位置する羽根１の下部の軸体５に対しハンドル７は前記浮き上がり防止金具１２の下側から取り付けられ、このハンドル７は下枠９の正面の板部１９に形成されている細幅の開口部２０より前方に突出して下枠９の外側でハンドル７の操作が行なえるようになっている。
【００１１】
かかる構成により、各羽根１が開かれた状態からハンドル７を時計方向に９０度回転操作することにより、ハンドル７に直結されている中央に位置する羽根１とこの羽根１の上端の歯車６も同方向に９０度回転するが、隣り合う歯車６は互いに逆方向に回転することから、各歯車５に直結されている羽根１も隣り合うもの同士が逆方向にそれぞれ９０度回転して全ての羽根１が同時に閉じられることになる。閉じられた羽根１を開くときは前記ハンドル７を反時計方向に９０度回転操作すれば良い。
【００１２】
次に、図６〜図７に示す第２の実施の形態について説明すると、前記第１の実施の形態では各羽根１の上端に直結されている歯車６同士が互いに順番に噛み合うように構成されているが、第２の実施の形態では隣り合う歯車６，６間に隙間が形成されるように歯車６を前記第１の実施の形態の歯車６よりも小さくして隣り合う歯車６，６間に小さな別の歯車２１を介在させており、これにより中央に位置する羽根１の下端のハンドル７操作により全ての羽根１が同方向にそれぞれ９０度回転して全ての羽根１が同時に閉じられることになる。
【００１３】
なお、以上述べた２つの実施の形態では、中央に位置する羽根１の下端にハンドル７を取り付けてハンドル７操作により全ての羽根１を回転操作するようになっているが、モーター駆動により羽根１を回転させるようにしても良い。
【００１４】
以上述べた２つの実施の形態のルーバー装置では各羽根１は鉛直軸心の周りで回転するように上下方向に向いているが、各羽根１が水平軸心の周りで回転するように水平方向に配設することも可能である。そして、このルーバー装置は例えば室内に入る日差しなどの調整を行なうルーバー装置、あるいは各羽根１の表裏両面に絵や模様などを画し、宣伝広告媒体用のルーバー装置などに利用できるものである。
【図面の簡単な説明】
【００１５】
【図１】本発明の第１の実施の形態のルーバー装置の主要部の分解斜視図である。
【図２】同ルーバー装置を枠体の下枠と上枠との間に組み込んだ状態を示す断面斜視図である。
【図３】同ルーバー装置を枠体に組み込んだ状態を示す正面図である。
【図４】図３のＸ−Ｘ断面図である。
【図５】同ルーバー装置の動作説明平面図である。
【図６】本発明の第２の実施の形態のルーバー装置の主要部の平面図である。
【図７】同ルーバー装置の動作説明平面図である。
【符号の説明】
【００１６】
１        羽根
２        キャップ
３        補強部材
４，５    軸体
６        歯車
６ａ      角孔
７        ハンドル
８        枠体
９        下枠
１０        上板部
１１        孔部
１５        上枠
１６        突出片
１７        下板部
１８        孔部
１９        板部
２０        細幅の開口部
２１        歯車
【図１】
2008025095.tif 000003
【図２】
2008025095.tif 000004
【図３】
2008025095.tif 000005
【図４】
2008025095.tif 000006
【図５】
2008025095.tif 000007
【図６】
2008025095.tif 000008
【図７】
2008025095.tif 000009